(57)【要約】 【課題】入場管理システムのセキュリティを強化する。【解決手段】入場管理区域１０への入場を許可する認証カード４と、認証カード４の電波情報を検知する検知器５と、認証用データーに基づいて検知器５の検知情報を認証し、入場管理区域１０への不正入場を監視する監視手段とを備える入場管理システムにおいて、入場管理区域１０のゲート１付近に、外部からの電波情報を遮蔽する通行エリア９が設けられ、且つ、通行エリア９内に検知器５が配設されている。【選択図】図１
2007316735.tif 000002
【特許請求の範囲】
【請求項１】
入場管理区域への入場を許可する認証カードと、当該認証カードの電波情報を検知する検知器と、認証用データーに基づいて前記検知器の検知情報を認証し、前記入場管理区域への不正入場を監視する監視手段とを備える入場管理システムにおいて、
前記入場管理区域のゲート付近に、外部からの前記電波情報を遮蔽する通行エリアが設けられ、且つ、当該通行エリア内に前記検知器が配設されていることを特徴とする入場管理システム。
【請求項２】
前記通行エリアは、透過性電磁シールド材にて包囲された空間であることを特徴とする請求項１に記載の入場管理システム。
【請求項３】
前記通行エリア内の上方位置に入場者を監視する監視カメラが設置されており、前記監視手段は、前記電波情報の認証結果と、前記監視カメラによる撮像画像の分析結果に基づいてカード不携帯者の共連れ入場を察知することを特徴とする請求項１または請求項２の何れかに記載の入場管理システム。
【発明の詳細な説明】
【技術分野】
【０００１】
本発明は、入場管理区域への入場時にカード等の認証媒体を用いて入場者の認証確認を行うことにより、カード不携帯者の不正入場を防止するようにした入場管理システムに関するものである。
【背景技術】
【０００２】
従来、図３（ａ）に示すように、入場許可者３が携帯する認証カード４がゲート１に設けたカードリーダー５にて検知され、その検知情報が、例えば、ネットワーク７に接続されたサーバー８内において認証確認されて入場許可者と非許可者とが識別され、その識別結果に基づいてゲート１が開閉制御されることにより、入場管理区域１０への入場を管理する管理システムが公知である（例えば、特許文献１参照）。
【０００３】
こうした管理システムにおいては、通信可能距離が極端に短い近距離型の認証カード４を用いると、入場許可者は入場の都度カードリーダー５に近づいて認証カード４を翳さなければならず、荷物等を運搬していて両手がふさがっている場合等は、認証カード４を翳す行為そのものが非常に煩わしいものであり、特に、高い洗浄度を要求されるクリーンルームへ入場する場合等では、認証カード４を持つ指先を介して室内が汚染される虞がある。
【０００４】
このような、不都合を解決するには、通信可能距離の長い長距離型の認証カード４を用いることが考えれるが、認証カード４の通信可能距離が拡大されると、図３（ｂ）に示すように、入場許可者３がゲート１より離れた場所を通行している間にカード情報が検知・認証されてゲート１が開かれることになり、ゲート１付近を通行する入場を許可されていない第三者（認証カード不携帯者）１２の入場をも許してしまうという問題が発生する。
【特許文献１】特開２００２−３３４３８２号公報
【発明の開示】
【発明が解決しようとする課題】
【０００５】
本発明は、ゲート付近に通行エリアを設け、通行エリア外からの送信電波を遮断することにより、上記問題を解決したセキュリティ性に優れる入場管理システムを提供することを目的としている。
【課題を解決するための手段】
【０００６】
すなわち、請求項１に記載の発明は、入場管理区域への入場を許可する認証カードと、当該認証カードの電波情報を検知する検知器と、認証用データーに基づいて前記検知器の検知情報を認証し、前記入場管理区域への不正入場を監視する監視手段とを備える入場管理システムにおいて、前記入場管理区域のゲート付近に、外部からの前記電波情報を遮蔽する通行エリアが設けられ、且つ、当該通行エリア内に前記検知器が配設されていることを特徴としている。
【０００７】
また、請求項２に記載の発明は、請求項１に記載の入場管理システムにおいて、前記通行エリアは、透過性電磁シールド材にて包囲された空間であることを特徴としている。
【０００８】
また、請求項３に記載の発明は、請求項１または請求項２の何れかに記載の入場管理システムにおいて、前記通行エリア内の上方位置に入場者を監視する監視カメラが設置され、前記電波情報の認証結果と、前記監視カメラによる撮像画像の分析結果に基づいてカード不携帯者の共連れ入場を防止することを特徴としている。
【発明の効果】
【０００９】
請求項１〜３に記載の発明によれば、ゲート付近に、外部電波を遮蔽する通行エリアが設けられることにより、認証カードからの電波情報は通行エリア内において発信された場合にのみ検知器にて検知されるため、入場許可者がゲートから離れた場所を通行していてゲートが開かれる不都合が回避されるため、入場が許可されていない第三者の不正入場を防止することができる。
【００１０】
また、請求項２に記載の発明によれば、通行エリアが透過性電磁シールド材にて構成されているので、入場許可者を含む通行人に違和感を与えることのない、極めてデザイン性の高い通行エリアを構築することができ、よって、入場許可者に認証を意識させることなく入場の管理が行える。
【００１１】
また、請求項３に記載の発明では、通行エリア内の情報位置に監視カメラが設置されることにより、カード情報の認証結果と画情報の分析結果より、カード不携帯者の共連れ入場を素早く察知して不正入場を阻止することができ、より優れたセキュリティ管理が実現できる。
【発明を実施するための最良の形態】
【００１２】
以下、図１、図２に基づいて本発明の実施形態による入場管理システムについて説明する。図１は本実施形態による入場管理システムを示し、図２は共連れ防止装置を備えた入場管理システムを示している。
尚、説明を簡略化するため、以下の説明において従来と共通する部材については同一の符号を用いた。
【００１３】
図１中の符号１は、入場管理区域（セキュリティゾーン）１０への出入りを行う電気錠Ｅ付きのゲートである。このゲート１は入退場時にのみ解錠され、通常時は施錠されている。
また、このゲート１の通路２側に、入場許可者３が携帯している認証カード４の情報を検知するカードリーダー５（検知器）が配設されている。このカードリーダー５は、例えば、ゲート１の近傍の壁面や天井面等に設置された制御ユニット６に接続されており、また、制御ユニット６は、ネットワーク７を介して遠隔地のサーバー８に接続されている。そして、これら制御ユニット６とサーバー８とで監視手段が構成されている。
【００１４】
認証カード４には、それぞれ特定の個人情報等の各種情報が登録されており、特定場所への入場を許可された者（入場許可者）が携帯している。認証カード４としては、例えば、ＲＦＩＤのＩＣタグ（電波式タグ）を用いることができる。
尚、ＩＣタグとしては、電池内蔵型の長距離交信が可能なアクティブタグや電池を内蔵せず、近距離交信が可能なパッシブタグの使用が可能であるが、少なくとも１ｍ以上の交信距離（通信可能距離）が確保されていることが望ましい。
【００１５】
サーバー８には、各認証カード４に登録された個人情報に対応する認証用データベースが構築されている。
【００１６】
制御ユニット６は、カードリーダー５にて検知された情報（カード情報）をネットワーク７を介してサーバー８へ送信すると共に、サーバー８より送信される認証確認の結果を受信する。また、制御ユニット６は、この認証結果に応じて電気錠Ｅの施錠や解錠を制御し、ゲート１の開閉を遠隔操作する。
【００１７】
ところで、本実施形態で特筆すべきは、ゲート１付近の通路２側に外部からの発信電波を遮蔽する通行エリア９が形成され、且つ、この通行エリア９内のゲート１近傍に上述したカードリーダー５が配設されている点であり、入場許可者３は、この通行エリア９内を通過して入場管理区域１０内に入場するようになっている。
【００１８】
通行エリア９は、透過性電磁シールド材にて周囲と上部が包囲された空間であって、入場手段となる開閉扉の間口が約２〜３ｍ×３〜４ｍと人が違和感を感じずに通行できるゆったりとしたスペースが確保されており、且つ、奥行きは、少なくとも使用される認証カード４の持つ通信可能距離以内の寸法に設定されている。
また、透過性磁性シールド材として、透明度の高い、例えば、電磁シールドガラスやシールドフィルム等が用いられ、例えば、図２（ａ）に示すような細長箱形状に形成されるとデザイン上好ましい。
【００１９】
上記構成の入場管理システムでは、認証カード４を携帯した入場許可者３が通行エリア９の外を通行している間は、例え、カードリーダー５が通信可能距離内に存在していても認証カード４の電波情報は通行エリア９にて遮断され、カードリーダー５には検知されないため、入場許可者３の認証は行われない。従って、ゲート１は施錠された状態を維持しており、例えば、図１に示すように、ゲート１の近傍に認証カード４を所持しない第三者１２がたまたま通行していても、この第三者１２は入場管理区域１０に入場することはできない。
【００２０】
入場許可者３が通行エリア９内に達すると、入場許可者３の携帯する認証カード４の電波情報をカードリーダー５が検知し、その検知情報が制御ユニット６に伝達されると共に、制御ユニット６よりネットワーク７を介してサーバー８に送信される。
サーバー８側では、制御ユニット６からの情報を認証用データーベースに基づいて認証確認を行い、入場許可者であることが認証された場合に、サーバー８より制御ユニット６に対してゲート開放指令、すなわち、電気錠Ｅの解錠指令が発行される。制御ユニット６は、このゲート開放指令を受けてゲート１の電気錠Ｅの施錠を解除し、これで、入場許可者３は入場可能となる。
【００２１】
以上のように、本実施形態では、ゲート１の付近に、外部電波を遮蔽する通行エリア９が設けられているため、認証カード４からの電波情報は、この通行エリア９内において発信された場合にのみカードリーダー５にて検知可能であり、これにより、入場許可者３が通行エリア９外を通行している間にゲート１が開放される不都合が回避され、入場を許可されていない第三者１２の入場を阻止することができ、入場管理区域１０のセキュリティが確保される。
【００２２】
また、通行エリア９が透明性の高い電磁シールドガラスやシールドフィルム等にて構成されているので、通行人に違和感を与えることのない、デザイン性の高い通行エリアを構築することができ、よって、入場許可者３に認証を意識させることなく入場許可者の管理が行えるようになる。
【００２３】
また、本実施形態の入場管理システムでは、図２に示すように、通行エリア９内の上方部（例えば天井部）に入場許可者３を監視する監視カメラ１３を設置することができる。
本実施形態では、図２（ｂ）に示すように、ガラスパーティション１４にて区画された通行エリア９内を対向するように通行して各側の入場管理区域１０へ入場する例が示されており、各入場管理区域１０のゲート１付近には図１の場合と同様にカードリーダー５が設置されており、各カードリーダー５の上方位置にそれぞれ上述した監視カメラ１３が設置されている。この監視カメラ１３は、図１と同様に制御ユニット６（図示せず）に接続されており、監視カメラ１３の撮像データ（画情報）は、この制御ユニット６よりサーバー８（図示せず）に送信されるようになっている。
【００２４】
係る構成では、カードリーダー５が検知した認証カード４の個人情報と、監視カメラ１３が撮像した入場者の画情報が、それぞれ制御ユニット６に入力され、さらに、制御ユニット６よりサーバー８に送信される。サーバー８側では、認証用データベースに基づき、受信した認証カード４の情報の認証確認が行われると共に、例えば、この認証確認の回数（カード情報の受信回数）と受信した監視カメラ１３の画情報を分析して得られた入場人数が比較される。
そして、カード情報による入場許可者の認証が得られ、且つ、画像分析で得られた入場人数と認証による入場許可人数とが一致した場合にのみ、サーバー８より制御ユニット６に対してゲート開放指令が発行され、電気錠Ｅが解錠される。これで、入場許可者３は入場可能となる。
【００２５】
尚、上記実施形態では、画情報の分析をサーバー８側にて行うようにしたが、これに限るものではなく、係る画像分析を制御ユニット６で行い、得られた入場人数データを制御ユニット６よりサーバー８側に送信するように構成しても構わない。或いは、サーバー８より認証用データーを受信して、制御ユニット６において入場許可者３の認証を行うように構成しても構わない。
【００２６】
このように、通行エリア９内の天井部に監視カメラ１３が設置されることにより、カード情報の認証結果と画情報の分析結果（人数カウント）より、カード不携帯者１２の共連れ入場を素早く察知して入場管理区域１０への不正入場を阻止することができるため、より優れたセキュリティ管理が行えるようになる。
【００２７】
また、図２（ｂ）に示すように、通行エリア９の各入口に破線で示す片開きのドア１５を設けておいて、不正入場が確認された場合に、不正入場許可者を通行エリア９内に封じ込めるように構成することも可能であり、セキュリティの向上に大いに寄与するものである。
【図面の簡単な説明】
【００２８】
【図１】本発明の入場管理システムの構成を示す図。
【図２】（ａ）は本発明の入場管理システムにおける共連れ防止の説明図、（ｂ）はその平面図。
【図３】従来の入場管理システムの構成を示す図。
【符号の説明】
【００２９】
１  ゲート
３  入場許可者
４  認証カード
５  検知器（カードリーダー）
９  通行エリア
１０  入場管理区域
１２  カード不携帯者
１３  監視カメラ
【図１】
2007316735.tif 000003
【図２】
2007316735.tif 000004
【図３】
2007316735.tif 000005